(57)【要約】【構成】  読み取り画像のプレビュー画像とサムネイル画像とを、同時にＬＣＤに表示する。プレビュー画像は読み取り中の画像について表示し、読み取り済み画像の縮小画像をサムネイル画像として表示する。【効果】  ユーザは同一画面上で、読み取った画像データのプレビュー画像とサムネイル画像とを見ることができるので、読み取り状況や読み取り結果を簡単に把握できる  。【選択図】    図３
2010171780.tif 000002
【特許請求の範囲】
【請求項１】
画像の読み取り部と、読み取った画像から表示画像を生成する画像生成部と、生成した画像を表示する画像表示部とを備えた画像処理装置において、
前記画像表示部に表示するための画像に、前記読み取った画像のプレビュー画像を表示するためのプレビュー表示領域と、前記画像を縮小したサムネイル画像を表示するためのサムネイル表示領域とを設け、
前記プレビュー画像を、前記プレビュー表示領域に読み取り過程を表すように、読み取りの進行に伴ってプレビュー画像の表示域が大きくなるように動的に表示すると共に、１ページ分のプレビュー表示が完了した画像を、前記サムネイル表示領域に表示するように画像を生成して、前記画像表示部に表示するように構成した、画像処理装置。
【請求項２】
前記プレビュー表示領域に表示するプレビュー画像を、前記読み取った画像を上下方向あるいは左右方向のいずれか片方から他方へ、読み取りの進行に伴ってプレビュー画像の表示域が大きくなるように動的に表示するように構成したことを特徴とする、請求項１に記載の画像処理装置。
【請求項３】
前記サムネイル表示領域に表示するサムネイル画像は、前記プレビュー表示領域で表示した画像の縮小画像とし、前記プレビュー表示領域での表示の完了後に、前記サムネイル表示領域に前記縮小画像を追加して表示するように構成したことを特徴とする、請求項１または２に記載の画像処理装置。
【請求項４】
前記サムネイル表示領域に表示したサムネイル画像へのユーザの選択を受付け、該選択された画像のプレビュー表示を前記プレビュー表示領域に表示するための画像選択部を設けたことを特徴とする、請求項３に記載の画像処理装置。
【請求項５】
前記サムネイル表示領域に表示する複数のサムネイル画像を、スクロール可能に表示することを特徴する、請求項４に記載の画像処理装置。
【請求項６】
画像の読み取り部と、読み取った画像から表示画像を生成するための画像生成部と、生成した画像を表示するための画像表示部とを備えた画像処理装置のプログラムにおいて、
前記画像処理装置に、
前記画像表示部に、前記読み取った画像のプレビュー画像を表示するためのプレビュー表示領域と、前記画像を縮小したサムネイル画像を表示するためのサムネイル表示領域とを設ける機能と、
前記プレビュー画像を前記プレビュー表示領域に読み取り過程を表すように、読み取りの進行に伴ってプレビュー画像の表示域が大きくなるように動的に表示し、１ページ分のプレビュー表示が完了した画像を、前記サムネイル表示領域に表示する機能と、を実行させる、画像処理装置のプログラム。
【発明の詳細な説明】
【技術分野】
【０００１】
この発明は、画像処理装置とそのプログラムとに関し、特に読み取った画像をＬＣＤ（Liquid Crystal Display）などのモニタに表示することに関する。
【背景技術】
【０００２】
画像データに編集加工を施して出力する場合に、複数の原稿の出力レイアウトを出力前にＬＣＤなどでプレビュー確認することは、知られている（特開２００３−２４４３７２）。
また、複写機で読み取った画像をプレビュー表示する装置では、１ページ単位でのプレビュー表示を行ったり、複数ページをサムネイル表示することが知られている。
しかし、１ページ単位でのプレビュー表示と、複数ページのサムネイル表示とは、画面を切り替えてそれぞれ表示しなければならない。
【先行技術文献】
【特許文献】
【０００３】
【特許文献１】特開２００３−２４４３７２
【発明の概要】
【発明が解決しようとする課題】
【０００４】
この発明の課題は、読み取った画像のプレビュー表示と、複数の画像のサムネイル表示とを同一の画面上に表示すると共に、読み取り中の画像を動的にプレビュー表示することにある。
【０００５】
この発明での追加の課題は、サムネイル表示された画像からユーザが選択した画像のプレビュー表示を、サムネイル表示と同一画面上に表示することにある。
【課題を解決するための手段】
【０００６】
この発明の画像処理装置では、画像の読み取り部と、読み取った画像から表示画像を生成する画像生成部と、生成した画像を表示する画像表示部とを備えた画像処理装置において、
前記画像表示部に表示するための画像に、前記読み取った画像のプレビュー画像を表示するためのプレビュー表示領域と、前記画像を縮小したサムネイル画像を表示するためのサムネイル表示領域とを設け、前記画像を前記プレビュー表示領域に、読み取りの進行に伴ってプレビュー画像の表示域が大きくなるように動的に表示すると共に、１ページ分のプレビュー表示が完了した画像を、前記サムネイル表示領域に表示するように画像を生成して、前記画像表示部に表示する。
【０００７】
好ましくは、前記プレビュー表示領域に表示するプレビュー画像を、前記読み取った画像を上下方向あるいは左右方向のいずれか片方から他方へ、読み取りの進行に伴ってプレビュー画像の表示域が大きくなるように動的に表示する。
また好ましくは、前記サムネイル表示領域に表示するサムネイル画像は、前記プレビュー表示領域で表示した画像の縮小画像とし、前記プレビュー表示領域での表示の完了後に、前記サムネイル表示領域に前記縮小画像を追加して表示する。
【０００８】
さらに好ましくは、前記サムネイル表示領域に表示したサムネイル画像へのユーザの選択を受付け、該選択された画像のプレビュー表示を前記プレビュー表示領域に表示するための画像選択部を設ける。
またさらに好ましくは、前記サムネイル表示領域に表示する複数のサムネイル画像を、スクロール可能に表示する。
【０００９】
この発明の画像処理装置のプログラムは、画像の読み取り部と、読み取った画像から表示画像を生成するための画像生成部と、生成した画像を表示するための画像表示部とを備えた画像処理装置のプログラムにおいて、
前記画像処理装置に、前記画像表示部に、前記読み取った画像のプレビュー画像を表示するためのプレビュー表示領域と、前記画像を縮小したサムネイル画像を表示するためのサムネイル表示領域とを設ける機能と、前記プレビュー画像を前記プレビュー表示領域に読み取り過程を表すように、読み取りの進行に伴ってプレビュー画像の表示域が大きくなるように動的に表示し、１ページ分のプレビュー表示が完了した画像を、前記サムネイル表示領域に表示する機能と、を実行させる。
【発明の効果】
【００１０】
読み取った画像のプレビュー表示と複数の画像のサムネイル表示とを同一の画面上に表示するので、ユーザは１枚の画像のプレビュー表示と複数画像のサムネイル表示とを同時に参照でき、画面の切り替え操作が不要になる。またユーザは、読み取り中の画像をプレビュー表示で見ることができるので、画像の読み取り終了前にも読み取り状態を確認できる。ユーザにとって読み取った画像の視認性を向上でき、読み取りの操作性も向上できる。
【００１１】
さらに読み取り中の画像を動的にプレビュー表示すると、ユーザは読み取りイメージを把握し易い。
また、読み取りが終了した画像のサムネイル画像をサムネイル表示領域に追加して表示すると、原稿の読み取り状況が分かり易く、読み取りが正しく行われているかを確認し易くなる。
またさらに、サムネイル表示からプレビュー表示させたい画像をユーザは選択できるようにすると、任意のページの読み取り状態を確認できる。プレビュー表示する画像は、サムネイル表示された画像をスクロールして選択できるようにすると、画像が多数枚であっても、ユーザは容易に所望のページを見つけることができる。
【図面の簡単な説明】
【００１２】
【図１】実施例の複合機の構成を示す図
【図２】実施例の複合機の読み取り画像の表示プログラムの構成を示すブロック図
【図３】実施例での、読み取り画像のプレビュー表示とサムネイル表示とを、模式的に示す図
【図４】実施例での、サムネイル表示からプレビュー画像の選択を模式的に示す図
【図５】実施例での、読み取り画像を表示する際のアルゴリズムを示すフローチャート
【発明を実施するための形態】
【００１３】
以下に、発明を実施するための最適実施例を示す。
【実施例】
【００１４】
図１〜図５に、実施例を示す。図１に、画像処理装置としての複合機２の構成を示す。複合機２は、複写機として原稿を読み取ってその画像データを自機にてプリントしたり、ネットワークスキャナとして画像データを他機へと送信する。また複合機２は、公衆電話回線網（ＰＳＴＮ）に接続され、Ｇ３ファクシミリとして機能し、またＬＡＮ４を介してメールサーバ６やルータ８等と接続され、メールサーバ６やルータ８を介してインターネット１０と接続して電子メール等の送受信を行う。１２は、ＬＡＮ４に接続されたパーソナルコンピュータ等の通信端末装置で、１４は、ＬＡＮ４に接続されたプリンタである。
【００１５】
図１において、２０は主制御部で、２２はＬＡＮインターフェース、２４はＧ３ファクシミリ機能処理部で、公衆電話回線網（ＰＳＴＮ）を介し、Ｇ３ファクシミリ等の送受信などを行う。２６はインターネットファクシミリ機能処理部で、例えば電子メール形式でインターネットファクシミリの送受信を処理する。２８はネットワークススキャナ機能処理部で、３０はネットワークプリンタ部、３２はコピー機能処理部である。また３４はタッチパネルで、ＬＣＤ等の表示部３５と位置入力部３６とを備え、読み取り画像を表示すると共にユーザの入力を受付ける。
【００１６】
３８は画像データの取得部で画像データを読み取り、画像記憶制御部４０は取得した画像データをＲＡＭ４４などに記憶する。画像生成部４２は、ＲＡＭ４４などから読み出した画像データ、あるいはスキャンした画像データに、縮小／拡大などの編集を施してプレビュー画像とサムネイル画像とを生成してＬＣＤ３５に表示する。
【００１７】
ＲＡＭ４４は、取得した画像データやその他のデータを記憶する。またＲＯＭ４６は、複合機２に必要なプログラムを記憶し、特に読み取り画像のプレビュー表示とサムネイル表示とを表示し、ユーザによる画像の選択などの指示を受け付けるために必要な読み取り画像の表示プログラム５０を記憶する。
【００１８】
実施例の複合機２では、例えばスキャンして取り込んだ画像データをプリントし、他機へと送信し、あるいは編集して保存する場合に、読み取り画像のプレビュー画像とサムネイル画像とを複合機２のＬＣＤ３５に表示する。そしてプリント開始前にユーザがプレビュー表示で読み取り画像を確認し、擦れやゆがみが無く正しく読み取りできていることを確認した後に、プリントを行う。実施例では、読み取りが終了して１ページ分のプレビュー画像が表示された画像について、その画像の縮小画像をサムネイルとして追加して表示する。プレビュー画像と同一画面にサムネイル画像を表示するので、ユーザは全体の読み取り具合を確認できる。またユーザは、サムネイル画像からプレビューを表示したい画像を選択できる。なお、読み取り画像のプレビュー表示及びサムネイル表示は、複合機２のＬＣＤ３５で表示するほかに、パーソナルコンピュータ１２のＣＲＴ（Cathode Ray Tube）ディスプレイなどに表示しても良い。
【００１９】
図２に、読み取り画像の表示プログラム５０の概要を示す。読み取り画像の表示プログラム５０はＣＤ−ＲＯＭなどの媒体に記憶され、複合機２やパーソナルコンピュータ１２などで実行される。読み取り画像のプレビュー画像とサムネイル画像とを生成して表示部に表示すると共に、ユーザが選択した画像のプレビュー表示を行い、プリントする画像の選択などを受付ける。このプログラム５０は、読み取った画像をプレビュー表示するための命令５２と、サムネイル画像を生成と表示するための命令５４と、ユーザがサムネイル表示から選択した画像をプレビュー画像として表示するための命令５６と、プリント対象の画像の選択を受付ける命令５８と、保存する画像や削除する画像の選択を受付ける命令６０とで構成されている。
【００２０】
図３に、実施例の複合機２で画像データを読み取り中の、ＬＣＤ３５の表示画面６９を示す。ＬＣＤ３５の表示画面６９は、読み取り画像をプレビュー表示するためのプレビュー表示領域７０と、読み取り画像のサムネイル画像を表示するためのサムネイル表示領域７２とを備える。なお実施例では、プレビュー表示領域７０は、ＸＧＡ（eXtended Graphics Array）規格やＶＧＡ（Video Graphics Array）規格の表示装置の縦サイズに合わせた正方形の表示領域とし、サムネイル表示領域７２はプレビュー表示領域７０の縦サイズに合わせて縦長の表示領域とする。サムネイル表示領域７２の表示は、例えばサムネイル画像を横方向に並べたり、プレビュー表示領域７０を取り巻くように配置するなどしても良い。
【００２１】
図において、１ページ目は読み取りが終了しており、１ページ目の読み取り画像の縮小画像をサムネイル表示領域７２に表示する。そして２ページ目の原稿の読み取りを開始して読み取った画像データをプレビュー画像７４として生成し、１ページ目のサムネイル画像７６と共に表示する。読み取り画像はプレビュー表示領域７０の上部から下部へと移動するように動的にプレビュー表示して、読み取り動作を表現する。そして読み取りが終了しプレビュー画像の１ページ分７８を表示した後に、２ページ目のサムネイル画像８０をサムネイル表示領域７２に表示する。次に画像７８を表示画面から消去して、次ページの読み取り時のプレビュー表示に備える。そして最終ページである９ページ目の読み取りを終了して、全てのページのサムネイル画像を表示する。
【００２２】
実施例では、原稿を読み取る状態を画像を上から下へ移動して表示するが、下から上へ移動させるようにしても良く、さらに左から右、あるいは右から左への移動でなどで表現しも良い。なお図において、８２，８４はタッチパネル３４上に表示するボタンで、これにタッチしてサムネイル画像を上下にスクロールする。
【００２３】
図４に、サムネイル画像をスクロールしてプレビュー表示する画像を選択する様子を示す。図において、最後に読み取った９ページ目のサムネイル画像に続けて、最初のページのサムネイル画像を表示している。ユーザはボタン８２，８４を用いてサムネイル画像を上下にスクロールし、表示したいページのサムネイル画像を捜すことができる。目的の３ページのサムネイル画像が現れるとこれを指やペンでタッチして選択し、３ページの画像をプレビュー表示させる。実施例では、読み取った画像をサムネイル画像として順次並べ、スクロールで参照したい画像を捜して選択できるので、読み取った原稿のページ数が多い場合でも、所望の画像を容易に選択できる。ここで例えばＬＡＮ４内のパーソナルコンピュータ１２のＣＲＴに表示画面６９を表示する場合には、マウスやキーボードを用いてサムネイル画像をスクロールしたり、サムネイル画像からプレビュー画像をクリックして選択する。
【００２４】
図４では、ユーザは３ページ目の読み取り画像をプレビューし、読み取り状態を確認する。このようにユーザは、読み取り後にサムネイル画像から見たいページを選択して読み取り状態を確認できる。また読み取り中においても、動的に表示されるプレビュー画像を見て、読み取りながら読み取り画像の状態を確認できる。さらに具体的には、ユーザはサムネイル画像とプレビュー画像とを同時に参照しながら、読み取り結果が心配なページを選択して見ることができるほか、ページの飛びをチェックしたり、上下が正しく読み取れているかなどを確認できる。そして確認後にプリント指示を行うことができる。また画像の読み取り中であっても、ユーザがすでに読み込まれた画像をサムネイル表示から選択して、その画像のプレビューをプレビュー表示領域７０に表示できる。
【００２５】
さらに図４に示すように、表示画面６９にプリント指示ボタン８６と、ゴミ箱ボタン８８とを設ける。印刷ボタン８６を用い、ユーザはサムネイル画像から選択した画像をプレビュー画像で確認した後に印刷の指示を行う。また不要な画像や読み取りを失敗した画像を、ゴミ箱ボタン８８へとドラッグ＆ドロップなどして削除できる。ユーザはプレビュー画像で確認しながら、読み取りを失敗したページを再読み取りできる。
【００２６】
図５に、実施例の複合機での読み取り画像の表示を示す。図において、複合機が画像データをスキャンして読み取り（Ｓ１０）、読み取った画像データをプレビュー画像としてＬＣＤに表示する（Ｓ１１）。このとき１ページ分の読み取りが終了するまで画像データの読み取りを動的に表現するように、プレビュー画像の表示面積を例えば上から下へと拡大するように移動させる。そして１ページ分の読み取りが終了してそのプレビュー画像を表示した後に（Ｓ１２）、読み取りが終了したページのサムネイル画像をサムネイル表示領域に追加する（Ｓ１３）。続けて次のページを読み取るときは、表示中のプレビュー画像を消去し、次の読み取り画像のプレビュー表示に備える（Ｓ１４，Ｓ１５）。原稿を最終ページまで継続して読み取って画像データの読み取りは終了する（Ｓ１４）。読み取り中、あるいは読み取り終了後に、サムネイル画像からユーザが特定の画像を選択した場合に、その選択を受付けて（Ｓ１６）選択されたページをプレビュー画像として表示する（Ｓ１７）。なお、ユーザは、サムネイル画像から不要な画像を選択してゴミ箱へ移したり、サムネイル画像から選択した画像をプレビューで確認した後に、保存したりプリントすることができる
【００２７】
実施例では、以下の効果が得られる。
１．複合機に装着する大型ＬＣＤに、読み取った画像データのプレビュー画像とサムネイル画像とを同一画面上に表示できる。そのためユーザは、読み取り済みの画像と読み取り中の画像とを一目で知ることができ、全体の読み取り状況とページ毎の読み取り画像とを同時に確認できる。
２．ユーザはサムネイル画像で読み取りの順番が正しいかなどを確認でき、プレビュー画像で上下が合っているか、鮮明か、ゆがみがないか、などをチェックした後に、プリントし、送信などできる。
３．読み取り中のプレビュー画像を動的に表示するので、ユーザは読み取り途中の状態をリアルにとらえることができる。
４．ユーザは、サムネイル画像をスクロールできるので、複数枚数の画像からプレビューを所望する画像を簡単に選択でき、しかも同一画面上に表示できる。
５．また不鮮明な画像などを削除し、再読み取りできる。さらにサムネイル画像から選択して、必要なページの画像を確認した後にこれをプリントできる。
【００２８】
なお実施例では、複合機に装着したタッチパネルを兼ねるＬＣＤにプレビュー画像とサムネイル画像とを表示し、サムネイル画像をタッチして画像を選択させる。しかし例えば、ＬＡＮ内のパーソナルコンピュータのＬＣＤやＣＲＴに画像を表示しても良い。
【符号の説明】
【００２９】
２          複合機
４          ＬＡＮ
６          メールサーバ
８          ルータ
１０        インターネット網
１２        パーソナルコンピュータ
１４        プリンタ
２０        主制御部
２２        ＬＡＮインターフェース
２４        Ｇ３ファクシミリ機能処理部
２６        インターネットファクシミリ機能処理部
２８        スキャナ機能処理部
３０        プリンタ機能処理部
３２        コピー機能処理部
３４        タッチパネル部
３５        ＬＣＤ
３６        位置入力部
３８        画像取得部
４０        画像記憶制御部
４２        画像生成部
４４        ＲＡＭ
４６        ＲＯＭ
５０        読み取り画像の表示プログラム
５２        読み取り画像のプレビュー表示命令
５４        サムネイル画像の表示命令
５６        選択画像受付／表示命令
５８        プリント対象の画像の選択受付け命令
６０        保存／削除対象の画像の選択受付け命令
６９        ＬＣＤの表示画面
７０        プレビュー表示領域
７２        サムネイル表示領域
８２〜８８  タッチパネルのボタン
【図１】
2010171780.tif 000003
【図２】
2010171780.tif 000004
【図３】
2010171780.tif 000005
【図４】
2010171780.tif 000006
【図５】
2010171780.tif 000007